(57)【要約】【課題】ワイヤーハーネスの導通検査における作業効率向上を実現する。【解決手段】試験対象のワイヤーハーネス１を構成する複数のワイヤーの各端のそれぞれに対応させて、接続されたワイヤーの極同士を入れ替える配線仮組替スイッチ２９，３０と一筆書きが可能な閉回路形成を各端において実現するために任意の２極を一単位として回路を切り替える閉回路形成スイッチ２７，２８の直列接続をそれぞれ設けた各端閉回路形成部２１，２３とを備え、各端閉回路形成部２１，２３における配線仮組替スイッチ２９，３０と閉回路形成スイッチ２７，２８を切り替えることによりワイヤーハーネス１の全てのワイヤーを用いて一筆書き経路で通電する閉回路を形成して通電試験を行うようにしている。【選択図】図１
2010243206.tif 000002
【特許請求の範囲】
【請求項１】
試験対象のワイヤーハーネスを構成する複数のワイヤーの一方端のそれぞれに対応させて、接続されたワイヤーの極同士を入れ替える配線仮組替スイッチと一筆書きが可能な閉回路形成を一方端において実現するために任意の２極を一単位として回路を切り替える閉回路形成スイッチの直列接続を設けた一方端閉回路形成部と、
前記ワイヤーハーネスの複数のワイヤーの他方端のそれぞれに対応させて、接続されたワイヤーの極同士を入れ替える配線仮組替スイッチと一筆書きが可能な閉回路形成を他方端において実現するために任意の２極を一単位として回路を切り替える閉回路形成スイッチの直列接続を設けた他方端閉回路形成部とを備え、
前記一方端閉回路形成部および前記他方端閉回路形成部における前記配線仮組替スイッチと前記閉回路形成スイッチを切り替えることにより前記ワイヤーハーネスの全てのワイヤーを用いて一筆書き経路で通電する閉回路を形成することを特徴とするワイヤーハーネス導通検査装置。
【請求項２】
予め準備した試験対象のワイヤーハーネスの組み立てに関する配線設計図情報に基づいて、前記ワイヤーハーネスの全てのワイヤーの一方端および他方端の各々の極間を擬似的に短絡して、一筆書きで擬似通電可能とする仮想の閉回路構成をシミュレーションすると共に当該仮想の閉回路構成の各ワイヤーの各極を流れる電流の方向をシミュレーションし、得られた仮想の閉回路構成と電流方向をリファレンスにして保持する情報処理部と、
前記保持されたリファレンスに基づいて一方端閉回路形成部および／もしくは他方端閉回路形成部の対応する閉回路形成スイッチを切り替えて前記仮想の閉回路構成を模擬した一筆書きの通電路からなる実際の試験対象のワイヤーハーネスによる閉回路を形成させるスイッチ制御部とを備えたことを特徴とする請求項１記載のワイヤーハーネス導通検査装置。
【請求項３】
試験対象のワイヤーハーネスの閉回路に一筆書き経路で導通検査の電流を流すための通電電源手段と、
前記導通検査時にワイヤーハーネスの各ワイヤーの各極の電流有無とその方向をそれぞれの電流計で測定し、各検知データを集めてメモリに格納する電流検知手段とを備え、
情報処理部は、前記格納された検知データとリファレンスの電流方向の照合により導通検査の判定を行うことを特徴とする請求項２記載のワイヤーハーネス導通検査装置。
【発明の詳細な説明】
【技術分野】
【０００１】
この発明は、ワイヤーハーネスの組立品質確認のために適用するワイヤーハーネス導通検査装置に関するものである。
【背景技術】
【０００２】
各種産業で用いる電気・電子機器に搭載する基板、あるいはデバイス、あるいは電源間で信号や電力の伝送を行うために電線（ワイヤー）や同軸ケーブル等が用いられているが、これら電線や同軸ケーブルは多芯でかつ複雑に配線するため、製造工程面およびコスト面からワイヤーおよび同軸ケーブル等を結束してユニット化する方法が通常採られている。このユニット化された電気配線組み立て体を一般的にワイヤーハーネスと呼んでいる。このような多芯ワイヤーハーネスに対する従来の導通検査では、配線設計書に基づき、作業者がワイヤーの一方端の極と対応する他方端の極を簡易的な導通検査装置、あるいは導通チェッカー、あるいは抵抗計等で順次短絡して導通の有無を確認していた。ところが、この導通検査装置等を使用した検査方法では、一方端と他方端で少なくとも作業者２名を必要とし、また多芯のワイヤーハーネスの導通検査では、一極ずつ短絡のオン・オフを行うため、その都度短絡する動作を必要としていた。このため作業効率が悪かった。この問題に対処すために、多芯ワイヤーハーネスの一方端において全ての極およびシールド線を抵抗値の異なった抵抗素子を用いて、電気的に配線する接続装置を有し、他方端でシールド線と各極を順次短絡して、一方端の各抵抗素子の抵抗値を測定することで、導通と各芯線の両端の関係を確認する方法が提案されて来た（例えば特許文献１参照）。 
【先行技術文献】
【特許文献】
【０００３】
【特許文献１】特開平５−３２２９５３号公報
【発明の概要】
【発明が解決しようとする課題】
【０００４】
上記特許文献１の方法では、ワイヤーの一方端においては順次短絡する必要はないが、他方端において短絡のオン・オフを行うため、その都度短絡する動作があり、依然として作業効率が悪いという問題が残る。このため導通検査の作業効率を抜本的に改善できる方策が求められていた。
【０００５】
この発明は、上記のような課題を解消するためになされたものであり、ワイヤーハーネスの導通検査における作業効率向上を実現するワイヤーハーネス導通検査装置を得ることを目的とする。
【課題を解決するための手段】
【０００６】
この発明のワイヤーハーネス導通検査装置は、試験対象のワイヤーハーネスを構成する複数のワイヤーの一方端のそれぞれに対応させて、接続されたワイヤーの極同士を入れ替える配線仮組替スイッチと一筆書きが可能な閉回路形成を一方端において実現するために任意の２極を一単位として回路を切り替える閉回路形成スイッチの直列接続を設けた一方端閉回路形成部と、ワイヤーハーネスの複数のワイヤーの他方端のそれぞれに対応させて、接続されたワイヤーの極同士を入れ替える配線仮組替スイッチと一筆書きが可能な閉回路形成を他方端において実現するために任意の２極を一単位として回路を切り替える閉回路形成スイッチの直列接続を設けた他方端閉回路形成部とを備え、一方端閉回路形成部および他方端閉回路形成部における配線仮組替スイッチと閉回路形成スイッチを切り替えることによりワイヤーハーネスの全てのワイヤーを用いて一筆書き経路で通電する閉回路を形成するものである。
【発明の効果】
【０００７】
この発明によれば、予め準備した試験対象のワイヤーハーネスの組み立てに関する配線設計図情報に基づいてワイヤーハーネスの全てのワイヤーによる一筆書きで擬似通電可能とする仮想の閉回路構成を形成すると共に当該仮想の閉回路構成の各ワイヤーの各極を流れる電流の方向をシミュレーションし、一方、試験対象の実際のワイヤーハーネスを構成している全ワイヤーの一方端および他方端において二極間を接続し、上記シミュレーション結果をリファレンスとして一筆書きの通電路からなる実際のワイヤーハーネスの閉回路を形成し、通電検査を行うようにしている。したがって、従来よりも少ない回数の通電による導通検査を可能にし、かつ短絡する動作も少なくすることができるため、ワイヤーハーネスの導通検査の作業効率化を実現できる。またワイヤーハーネス導通検査装置の構成を単純にできることで作業性向上を実現できる。 
【図面の簡単な説明】
【０００８】
【図１】この発明の実施の形態１によるワイヤーハーネス導通検査装置の機能構成を示すブロック図である。
【図２】この発明の実施の形態１に係るワイヤーハーネス導通検査における接続例を示す配線図である。
【図３】この発明の実施の形態１に係るワイヤーハーネス導通検査装置における検査手順を示すフローチャートである。
【図４】この発明の実施の形態１に係るワイヤーハーネス導通検査時の接続パターンの事例評価の説明図である。
【図５】この発明の実施の形態１に係るワイヤーハーネス導通検査時の接続パターンの事例評価の他の説明図である。
【図６】この発明の実施の形態１に係るワイヤーハーネス導通検査時の接続パターンの事例評価の他の説明図である。
【発明を実施するための形態】
【０００９】
実施の形態１．
図１は、この発明の実施の形態１によるワイヤーハーネス導通検査装置の機能構成を示すブロック図である。ここでは、ワイヤーハーネス導通検査装置２０に試験対象のワイヤーハーネス１を接続した状態を示している。
図１において、試験対象であるワイヤーハーネス１は、複数本からなるワイヤー２と、一方端ハーネスコネクタ３と、他方端ハーネスコネクタ４からなる。このワイヤーハーネス１をワイヤーハーネス導通検査装置２０に電気的に接続して導通検査を行なうことになるが、ワイヤーハーネス導通検査装置２０は、導通検査時にワイヤーハーネス１と閉回路を形成する一方端閉回路形成部２１と、他方端閉回路形成部２３と、これら両方の閉回路形成部２１，２３を制御・検知するスイッチ制御部６０と、電流検知部５０と、情報処理部７０から構成されている。
【００１０】
一方端閉回路形成部２１は、ワイヤーハーネス１の一方端ハーネスコネクタ３と電気的に接続できる一方端側コネクタ２２と、ワイヤーハーネス１と任意の閉回路を形成させる閉回路形成スイッチ２７と、配線仮組替スイッチ２９と、ワイヤーハーネス１に電流を流す直流電源３１および抵抗器(仮負荷)３２からなる通電電源手段と、ワイヤーハーネス１のワイヤー２それぞれに流れる電流を測定する電流計２５から構成されている。ここで、閉回路形成スイッチ２７は、スイッチ制御部６０により制御される。また、電流計２５で測定した電流の有無と向きは電流検知部５０に集められ検知される。
他方端閉回路形成部２３は、ワイヤーハーネス１の他方端ハーネスコネクタ４と電気的に接続できる他方端側コネクタ２４と、ワイヤーハーネス１と任意の閉回路を形成させる閉回路形成スイッチ２８と、配線仮組替スイッチ３０と、ワイヤーハーネス１のワイヤー２それぞれに流れる電流を測定する電流計２６から構成されている。なお閉回路形成スイッチ２８はスイッチ制御部６０により制御される。また、電流計２６で測定した電流の有無と向きは電流検知部５０に集められ検知される。
【００１１】
情報処理部７０は、ワイヤーハーネス１の配線設計図情報を保持する配線設計図情報保持部７５と、各種演算を行なう演算部７３と、演算結果を一時的に保持するメモリ部７２と、閉回路形成もしくは電流の向きをシミュレートする回路シミュレータ７４と、ワイヤーハーネス１の導通検査結果を表示する表示部７１から構成されている。ここで言う配線設計図情報とは、例えば「一方端において、どのワイヤーが一方端側コネクタ２２中のどの極とつながっているか、また同様に他方端において、どのワイヤーが他方端側コネクタ２４中のどの極とつながっているか」を表したものである。別名で呼ぶとすれば、例えば「接続方向設計データ」、「極相関設計データ」、「ピンアサイン(割当)設計データ」等のようなものである。
【００１２】
ここで、スイッチ類について説明すると、閉回路形成スイッチ２７は、回路シミュレータ７４で演算された一筆書きが可能な閉回路形成を一方端において実現するために任意の２極を一単位として回路を切り替える手段である。閉回路形成スイッチ２８も同様、他方端において回路シミュレータ７４で演算された一筆書きが可能な閉回路形成を実現するために任意の２極を一単位として回路を切り替える手段である。配線仮組替スイッチ２９は、一方端において実配線を手作業で入れ替えることなく、接続されたワイヤーの極同士を擬似的に入れ替える手段である。配線仮組替スイッチ３０も同様、他方端において実配線を入れ替えることなく、接続されたワイヤーの極同士を擬似的に入れ替える手段である。
【００１３】
図２は、一方端閉回路形成部２１と試験対象のワイヤーハーネス１の接続状態の詳細を示している。ここでは、６本のワイヤーを例としたワイヤーハーネス１の導通検査例について説明する。そのため、一方端閉回路形成部２１は、６組の電流計２５ａ〜２５ｆ、６個の閉回路形成スイッチ２７ａ〜２７ｆ、６個の配線仮組替スイッチ２９ａ〜２９ｆを備えている。同様に、他方端閉回路形成部２３も、６個の電流計２６ａ〜２６ｆ、６個の閉回路形成スイッチ２８ａ〜２８ｆ、６個の配線仮組替スイッチ３０ａ〜３０ｆを備えている。
また、図４〜図６は、ワイヤーハーネス導通検査時のワイヤーハーネスの接続パターンの事例評価説明のための図であるが、ワイヤーハーネス導通検査装置２０の部分は図２に比較して簡略化して示すものとする。
【００１４】
次に、図３に示すワイヤーハーネス導通検査装置２０のワイヤーハーネス１の導通検査のフローに従って動作を説明する。なお、以下の処理ステップにおいて、作業者の受け持つ工程のみ「作業者担当」として記載する。その他は全てワイヤーハーネス導通検査装置２０における自動処理である。
ステップＳＴ１（ワイヤーハーネス１の取り付け作業：作業者担当）：  まず、試験対象のワイヤーハーネス１をワイヤーハーネス導通検査装置２０に接続する。具体的には、ワイヤーハーネス１の一方端ハーネスコネクタ３と他方端ハーネスコネクタ４を、それぞれワイヤーハーネス導通検査装置２０の一方端側コネクタ２２と他方端側コネクタ２４に対応させて接続する。
ステップＳＴ２（配線設計図情報の読込作業：作業者担当）：  情報処理部７０において、配線設計図情報保持部７５に予め格納してあるワイヤーハーネス１の配線設計図情報をメモリ部７２に読み込ませる。
【００１５】
ステップＳＴ３−１（一方端閉回路形成および電流方向についての両シミュレーション）：  演算部７３と回路シミュレータ７４において、メモリ部７２に読み込ませた、試験対象であるワイヤーハーネス１に関する配線設計図情報に基づき、ワイヤーハーネス１を構成している全てのワイヤー２に対して、一方端ハーネスコネクタ３および他方端ハーネスコネクタ４の各々の極間を擬似的に短絡して、一筆書きで擬似通電可能とする仮想の閉回路構成を算出する閉回路形成シミュレーションを行う。この閉回路構成は、各端部において２極を１単位として全極を短絡するものである。ただし、一方端ではこの閉回路形成シミュレーションにより短絡する極を決定するが、他方端では隣り合う極間を単純に短絡するものとする。演算部７３は、これらの条件下で閉回路構成を計算し、回路シミュレータ７４により一筆書きの通電路からなる仮想の閉回路構成を決定する。
【００１６】
次に、このようにして決定された仮想の閉回路構成において、同じく回路シミュレータ７４により、各ワイヤーの各極を流れる電流の方向をシミュレーションする。以上のシミュレーション結果、すなわち仮想の閉回路構成と電流方向のデータは、図４（左側）に示すように、ワイヤーハーネスの製品に対する配線の妥当性を確認するための配線設計図（以下、リファレンスとする）にしてメモリ部５０で保持される。なお、リファレンスでは、電流方向は、ワイヤーハーネス１から一方端ハーネスコネクタ３あるいは他方端ハーネスコネクタ４に流れる方向を「ＯＵＴ」、また、一方端ハーネスコネクタ３あるいは他方端ハーネスコネクタ４からワイヤーハーネス１側に流れる方向を「ＩＮ」として表している。
【００１７】
ステップＳＴ３−２（閉回路形成スイッチ切り替え）：  スイッチ制御部６０は、メモリ部７２で保持された上記リファレンス（すなわちステップＳＴ３−１のシミュレーション結果である、仮想の閉回路構成と電流方向のデータ）にある仮想の閉回路構成に基づいて、ワイヤーハーネス導通検査装置２０の一方端閉回路形成部２１の閉回路形成スイッチ２７ａ〜２７ｆを実際に切り替える。これにより、ワイヤーハーネス１の全ワイヤーによる一筆書きの通電路からなる閉回路が実際に形成される。
ステップＳＴ３−３（導通検査）：  直流電源３１および抵抗器３２により実際のワイヤーハーネス１に対して一筆書き経路で通電し、導通検査を行う。ここでは、ワイヤーハーネス導通検査装置２０の一方端閉回路形成部２１と他方端閉回路形成部２３の制御部であるスイッチ制御部６０が、回路シミュレータ７４でのステップＳＴ３−１の演算終了後、直ちに両端の閉回路形成スイッチ２７，２８を制御することで通電を開始させる。
ステップＳＴ３−４（電流方向照合）：  ワイヤーの各極に対応して取り付けられた電流計２５ａ〜２５ｆ，２６ａ〜２６ｆにより測定した電流の有無とその方向の検知データを電流検知部５０に集めてメモリ部７２に格納する。演算部７３では、この格納した検知データとリファレンスの電流方向とを照合し判定を行う。今回の場合、図４（右側）に示す製品の他方端側の電流計２６ａ，２６ｂ，２６ｅ，２６ｆにおいて電流方向がリファレンスとは異なるため、本ワイヤーハーネス１が誤配線であるとの判定結果を得る。
【００１８】
ステップＳＴ４−１（配線仮組替えパターン決定）：  演算部７３は、上記ステップＳＴ３−４における誤配線の判定結果に基づいて、電流方向が異なる極を入れ替えるように配線仮組替えのパターンを決定する処理を行なう。ステップＳＴ３−４の判定結果の場合は、図４に示すように、製品の他方端の電流計２６ａが「ＯＵＴ」、電流計２６ｂが「ＩＮ」、電流計２６ｅが「ＯＵＴ」、電流計２６ｆが「ＩＮ」であるため、組替えパターンとして配線仮組替スイッチ２９ａと２９ｂ、２９ｅと２９ｆ、あるいは２９ａと２９ｆ、２９ｂと２９ｅの２種類が決定される。
【００１９】
ステップＳＴ４−２（配線仮組替スイッチの切り替え）：  上記ステップＳＴ４−１での配線仮組替えのパターン演算が終了すると、決定した閉回路構成の配線仮組替えパターンに基づいて、スイッチ制御部６０はワイヤーハーネス導通検査装置２０の配線仮組替スイッチ２９を実際に切り替える。なお、この例では、配線仮組替スイッチ２９の回路切替えのみで対応できたが、他の配線形状をしたワイヤーハーネスに対する検査では、場合によっては配線仮組替スイッチ２９と配線仮組替スイッチ３０の両方の回路切替えが発生する可能性もあり、また配線仮組替スイッチ３０のみによる回路切替えの発生もある。
ステップＳＴ４−３（導通検査）：  スイッチ制御部６０は、配線仮組替えが終わると、直流電源３１および抵抗器３２により再びワイヤーハーネス１に対し一筆書き経路で実際に通電し、再度導通検査を行う。
【００２０】
ステップＳＴ４−４（電流方向照合）：  各極に取り付けられた電流計２５ａ〜２５ｆ，２６ａ〜２６ｆにより電流有無とその方向を測定し、検知データを電流検知部５０に集めてそれぞれの検知結果をメモリ部７２に格納する。演算部７３では、この格納した検知データとステップＳＴ３−１での電流方向のシミュレーション結果、すなわちリファレンスを照合し、試験対象であるワイヤーハーネス１の仮組み替えの妥当性を検証する。今回の判定では、図５に示すように、全ての電流方向がリファレンスと同一と判定されたが、試験対象であるワイヤーハーネス１の配線として組替えパターンが２種類算出された。しかし、実際には本ワイヤーハーネス１はいずれか一方のパターンの配線である筈である。
【００２１】
ステップＳＴ５−１（他方端閉回路形成および電流方向についての両シミュレーション）：  ステップＳＴ４−４の判定でリファレンスと電流方向が一致するパターンが複数ある場合は、配線合格を１つに絞り込むため、配線仮組替えスイッチ２９，３０の極を維持したまま新たに他方端閉回路構成について、上記ステップＳＴ３−１と同様なシミュレーションを行うことにより一筆書きの通電路からなる仮想の閉回路構成を決定する。そして演算部７３により、図６（左側）に示す更新リファレンスが演算され、再びメモリ部７２で保持される。
ステップＳＴ５−２（閉回路形成スイッチ切り替え）：  スイッチ制御部６０は、メモリ部７２で新たに保持された更新リファレンス（すなわちステップＳＴ５−１のシミュレーション結果である、仮想の閉回路構成と電流方向のデータ）に基づいて、ワイヤーハーネス導通検査装置２０の他方端閉回路形成部２３の閉回路形成スイッチ２８ａ〜２８ｆを実際に切り替える。これにより、実際のワイヤーハーネス１の全ワイヤーによる一筆書きの通電路からなる閉回路が形成される。
【００２２】
ステップＳＴ５−３（導通検査）：  直流電源３１および抵抗器３２により実際のワイヤーハーネス１に対して一筆書き経路で通電し、導通検査を行う。この場合、スイッチ制御部６０が、回路シミュレータ７４でのステップＳＴ５−１の演算終了後、直ちに両端の閉回路形成スイッチ２７，２８を制御することで通電を開始させる。
ステップＳＴ５−４（電流方向照合）：  各極に取り付けられた電流計２５ａ〜２５ｆ，２６ａ〜２６ｆにより測定した電流有無とその方向の検知データを電流検知部５０で集めてメモリ部７２に格納する。演算部７３では、この格納したデータと図６（左側）に示す新たなリファレンス電流方向を照合し判定を行う。照合判定の結果、図６（右側）に示す製品のパターン１は電流方向が新たなリファレンスとすべて一致するので配線合格となるが、パターン２の方は、一方端側の電流計２５ｄ，２５ｆと他方端側の電流計２６ｅ，２６ｆにおいて電流方向が新たなリファレンスとは異なるため誤配線となる。 
ステップＳＴ６（配線修正作業：作業者担当）：  ステップＳＴ５−４の照合結果を基に、誤配線箇所がある場合には修正して、正規配線のワイヤーハーネスを得る。
以上から、ワイヤーに対しその都度短絡する動作が不要であるため、作業効率が良いワイヤーハーネス導通検査装置とすることができる。
【００２３】
上記例では、偶数本である６本のワイヤーからなるワイヤーハーネスの導通検査を説明したが、奇数本、例えば５本のワイヤーからなるワイヤーハーネスにおける導通検査においては、一方端ハーネスコネクタ３および他方端ハーネスコネクタ４の空いている電極同士を短絡することで、擬似的にワイヤーハーネスの本数を偶数本化することで、この発明によるワイヤーハーネス導通検査装置を適用可能にする。一方、更に多芯のワイヤーからなるワイヤーハーネスの導通検査においては、電流計２５，２６、閉回路形成スイッチ２７，２８、配線仮組替えスイッチ２９，３０の数量を追加することで同様の導通検査を可能にする。
【００２４】
以上のように、この実施の形態１によれば、試験対象のワイヤーハーネス１を構成する複数のワイヤーの一方端のそれぞれに対応させて、接続されたワイヤーの極同士を入れ替える配線仮組替スイッチ２９と一筆書きが可能な閉回路形成を一方端において実現するために任意の２極を一単位として回路を切り替える閉回路形成スイッチ２７の直列接続を設けた一方端閉回路形成部２１と、ワイヤーハーネス１の複数のワイヤーの他方端のそれぞれに対応させて、接続されたワイヤーの極同士を入れ替える配線仮組替スイッチ３０と一筆書きが可能な閉回路形成を他方端において実現するために任意の２極を一単位として回路を切り替える閉回路形成スイッチ２８の直列接続を設けた他方端閉回路形成部２３とを備え、一方端閉回路形成部２１および他方端閉回路形成部２３における配線仮組替スイッチ２９，３０と閉回路形成スイッチ２７，２８を切り替えることによりワイヤーハーネス１の全てのワイヤーを用いて一筆書き経路で通電する閉回路を形成して通電試験を行うようにしている。したがって、従来よりも少ない回数の通電による導通検査を可能にし、かつ短絡する動作も少なくすることができるため、ワイヤーハーネスの導通検査の作業効率化を実現できる。またワイヤーハーネス導通検査装置の構成を単純にできることで作業性向上を実現できる。また、どのような配線形状のワイヤーハーネスの導通検査においても柔軟に対応できる。
【符号の説明】
【００２５】
１  ワイヤーハーネス、２  ワイヤー、３  一方端ハーネスコネクタ、４  他方端ハーネスコネクタ、２０  ワイヤーハーネス導通検査装置、２１  一方端閉回路形成部、２２  一方端側コネクタ、２３  他方端閉回路形成部、２４  他方端側コネクタ、２５，２５ａ〜２５ｆ，２６，２６ａ〜２６ｆ  電流計、２７，２７ａ〜２７ｆ，２８，２８ａ〜２８ｆ  閉回路形成スイッチ、２９，２９ａ〜２９ｆ，３０，３０ａ〜３０ｆ  配線仮組替スイッチ、３１  直流電源、３２  抵抗器、５０  電流検知部、６０  スイッチ制御部、７０  情報処理部、７１  表示部、７２  メモリ部、７３  演算部、７４  回路シミュレータ、７５  配線設計図情報保持部。
【図１】
2010243206.tif 000003
【図２】
2010243206.tif 000004
【図３】
2010243206.tif 000005
【図４】
2010243206.tif 000006
【図５】
2010243206.tif 000007
【図６】
2010243206.tif 000008